(57)【特許請求の範囲】
【請求項１】
弾性部材からなる円盤形状の基部と、
前記基部から前記基部の径方向外側に向けて延びる弾性部材からなる複数の第１の取付腕と、
前記基部から前記基部の径方向外側に向けて延びる弾性部材からなる複数の第２の取付腕とを備え、
前記第１の取付腕の先端部には、前記基部の軸方向に対して直角方向に突出する第１の係合部が設けられ、
前記第２の取付腕の先端部には、前記第１の係合部の突出方向と反対方向に突出する第２の係合部が設けられ、
前記第１の係合部は全て同じ方向に突出し、
前記第１の取付腕は、前記第１の係合部と同じ方向に突出する第１の衝撃吸収部を備え、
前記第２の取付腕は、前記第１の係合部と同じ方向に突出する第２の衝撃吸収部を備え、
前記基部は、前記第１の係合部と同じ方向に突出する第３の衝撃吸収部を備え、
前記第１、第２、及び第３の衝撃吸収部は、前記基部の軸を中心とする同心円であって前記基部の径方向に等間隔で設けられる複数の円上に各々複数設けられ、
前記第１、第２、及び第３の衝撃吸収部の前記基部の軸方向長さは等しい液晶パネル用取付部材。
【請求項２】
前記第１の取付腕は、延伸方向に対し直角方向における長さが最も短くなる方向に開口し、かつ延伸方向に延びる第１の孔部を備え、
前記第２の取付腕は、延伸方向に対し直角方向における長さが最も短くなる方向に開口し、かつ延伸方向に延びる第２の孔部を備える
請求項１に記載の液晶パネル用取付部材。
【請求項３】
前記基部は、その中心軸と同軸の中心軸を有し厚さ方向に開口する円筒形状の第３の孔部を備える、請求項１に記載の液晶パネル用取付部材。
【請求項４】
前記第１の係合部は、
前記第１の取付腕の延伸方向に対し直角方向に向けて延びる直方体である２枚の板状部材が接続されて形成されるエルボー部と、
エルボー部の延伸方向端部を構成する第１及び第２の辺に掛け渡される蓋部とを備え、
前記板状部材により形成される内角は前記基部側に設けられる請求項１に記載の液晶パネル用取付部材。
【請求項５】
前記内角の二等分線は前記基部の軸と交わる請求項１に記載の液晶パネル用取付部材。
【請求項６】
前記第２の係合部は前記第２の取付腕の先端部から突出する嵌合部と前記嵌合部の先端に設けられる抜止部とを備え、前記第２の係合部の突出方向から見た前記抜止部の外形は前記嵌合部の外形よりも大きい請求項１に記載の液晶パネル用取付部材。
【発明の詳細な説明】
【技術分野】
【０００１】
本発明は、液晶パネルを他の部材に接合するための液晶パネル用取付部材に関する。
【背景技術】
【０００２】
取付部材は例えば液晶パネルを他の部材に取り付けるために用いられる。取り付ける工程を簡略化し製造コストを低減するために、携帯機器のカバーと基板との間に液晶パネルを挟持して、基板と液晶パネルとを接合する構成が知られている（特許文献１）。
【特許文献１】特開２００５−２１０４０７号公報
【発明の開示】
【発明が解決しようとする課題】
【０００３】
しかし、液晶パネルは重量を有するため、携帯機器に加えられる衝撃が直接液晶パネルに伝達されると、外部からの衝撃により液晶パネルと基板との接合部分に力が生じ、液晶パネル及び基板が損傷するおそれがある。
【０００４】
本発明はこの問題を踏まえてなされたものであり、部材同士の接合部分に生じる力を吸収緩和し、かつ容易に部材同士を接合することが可能な液晶パネル用取付部材を得ることを目的とする。
【課題を解決するための手段】
【０００５】
本願第１の発明による取付部材は、弾性部材からなる円盤形状の基部と、基部から基部の径方向外側に向けて延びる弾性部材からなる複数の第１の取付腕と、基部から基部の径方向外側に向けて延びる弾性部材からなる複数の第２の取付腕とを備え、第１の取付腕の先端部には、基部の軸方向に対して直角方向に突出する第１の係合部が設けられ、第２の取付腕の先端部には、第１の係合部の突出方向と反対方向に突出する第２の係合部が設けられ、第１の係合部は全て同じ方向に突出することを特徴とする。
【０００６】
第１の取付腕は、延伸方向に対し直角方向における長さが最も短くなる方向に開口し、かつ延伸方向に延びる第１の孔部を備え、第２の取付腕は、延伸方向に対し直角方向における長さが最も短くなる方向に開口し、かつ延伸方向に延びる第２の孔部を備えることが好ましい。
【０００７】
そして、基部は、その中心軸と同軸の中心軸を有し厚さ方向に開口する円筒形状の第３の孔部を備えることが望ましい。
【０００８】
第１の取付腕は、第１の係合部と同じ方向に突出する第１の衝撃吸収部を備え、第２の取付腕は、第１の係合部と同じ方向に突出する第２の衝撃吸収部を備え、基部は第１の係合部と同じ方向に突出する第３の衝撃吸収部を備えることが望ましい。
【０００９】
上記第１、第２、及び第３の衝撃吸収部は、基部の軸を中心とする同心円であって基部の径方向に等間隔で設けられる複数の円上に各々複数設けられ、そして、基部の軸方向長さが等しくなるように設けられることが好ましい。
【００１０】
第１の係合部は、第１の取付腕の延伸方向に対し直角方向に向けて延びる直方体である２枚の板状部材が接続されることにより形成されるエルボー部と、エルボー部の延伸方向端部を構成する第１及び第２の辺に掛け渡される蓋部とを備え、板状部材により形成される内角は基部側に設けられることが好ましい。
【００１１】
内角の二等分線は基部の軸と交わることが好ましい。
【００１２】
第２の係合部は第２の取付腕の先端部から突出する嵌合部と嵌合部の先端に設けられる抜止部とを備え、第２の係合部の突出方向から見た抜止部の外形は嵌合部の外形よりも大きいことが望ましい。
【発明の効果】
【００１３】
本発明によれば、部材同士の接合部分に生じる力を吸収緩和し、かつ容易に部材同士を接合することが可能な液晶パネル用取付部材を得ることができる。
【発明を実施するための最良の形態】
【００１４】
以下、本発明による取付部材の一実施形態について添付図面を参照して説明する。
【００１５】
図１から９を用いて、略直方体形状の液晶パネルを基板に取り付けることが可能な取付部材１００について説明する。
【００１６】
取付部材１００は弾性部材から成り、厚さを有する環形状の基部２００と、基部２００から径方向に延びる第１及び第２の取付腕３００、４００を備える。
【００１７】
基部２００は、基部２００の中心軸と同軸の中心軸を有し厚さ方向に開口する円筒形状の第３の孔部２１０と、環状の第１の面２２０と、その裏面である第２の面２４０とを備える。第１の面２２０には、第３の孔部２１０と同心円状に２つの第３の衝撃吸収部２３１、２３２が設けられる。第３の衝撃吸収部２３１、２３２は、第１の面２２０から基部２００の軸方向に突出する内側同心円部２３１及び外側同心円部２３２を備える。内側及び外側同心円部２３１、２３２は径方向に幅を、軸方向に厚さを有し、幅及び厚さは略同じ長さである。
【００１８】
第３の孔部２１０と内側同心円部２３１との間の距離は、内側同心円部２３１の幅の略２倍である。内側同心円部２３１と外側同心円部２３２との間の距離は、第３の孔部２１０と内側同心円部２３１との間の距離の略１．５倍である。外側同心円部２３２と基部２００の外縁との距離は、外側同心円部２３２の幅と略同じ長さである。
【００１９】
基部２００の円周の縁には、基部２００の軸と交わり径方向に向けて延びる直線に沿って第２の取付腕４００が４つ取り付けられる。第２の取付腕４００は、第１及び第２の長腕部４１０、４２０と、第１及び第２の長腕部４１０、４２０の延びる方向と直交方向に延びる第１及び第２の短腕部４３０、４４０とを備える。第１及び第２の長腕部４１０、４２０の長さは、第１及び第２の短腕部４３０、４４０の長さよりも長く、第１及び第２の長腕部４１０、４２０並びに第１及び第２の短腕部４３０、４４０の幅は同じ長さである。第１及び第２の長腕部４１０、４２０並びに第１及び第２の短腕部４３０、４４０は基部２００と略同じ厚さを有する。第１及び第２の長腕部４１０、４２０並びに第１及び第２の短腕部４３０、４４０の表面、裏面はそれぞれ基部２００における第１及び第２の面２２０、２４０と連続して設けられ、第１及び第２の面２２０、２４０を拡張する。
【００２０】
第１及び第２の長腕部４１０、４２０は、基部２００の中心軸に対して互いに点対称の位置に設けられ、第１及び第２の短腕部４３０、４４０もまた、基部２００の中心軸に対して互いに点対称の位置に設けられる。すなわち、第１及び第２の長腕部４１０、４２０は、基部２００の中心軸を通り第１及び第２の短腕部４３０、４４０の延長方向に沿う直線に対し線対称の関係にある。そして、第１及び第２の短腕部４３０、４４０は、基部２００の中心軸を通り第１及び第２の長腕部４１０、４２０の延長方向に沿う直線に対し線対称の関係にある。
【００２１】
第１及び第２の長腕部４１０、４２０並びに第１及び第２の短腕部４３０、４４０には、基部２００近辺からその伸張方向に延びる長円形状の第２の孔部４５０、４６０が各々２つずつ平行に設けられる。第２の孔部４５０、４６０は第１及び第２の長腕部４１０、４２０並びに第１及び第２の短腕部４３０、４４０の厚さ方向に貫通する。第１及び第２の長腕部４１０、４２０における第２の孔部４５０、４６０の長さは、第１及び第２の長腕部４１０、４２０の長さの略２／３であり、第１及び第２の短腕部４３０、４４０における第２の孔部４６０の長さは、第１及び第２の短腕部４３０、４４０の長さの略１／２である。第２の孔部４５０、４６０の幅は、第１及び第２の長腕部４１０、４２０並びに第１及び第２の短腕部４３０、４４０の幅の略１／５である。第２の孔部４５０、４６０が設けられることにより、第１及び第２の長腕部４１０、４２０並びに第１及び第２の短腕部４３０、４４０は長さ方向へ容易に伸張する。
【００２２】
第１及び第２の長腕部４１０、４２０は第１の面２２０に７つの第２の衝撃吸収部４７０を備え、第１及び第２の短腕部４３０、４４０は第１の面２２０に５つの第２の衝撃吸収部４７０を備える。第２の衝撃吸収部４７０は、第３の衝撃吸収部２３１、２３２と同心円状に設けられ、それぞれ第１の面２２０から基部２００の軸方向に突出する。それぞれの第２の衝撃吸収部４７０は径方向に幅を、基部２００の軸方向に厚さを有し、幅及び厚さは略同じ長さである。
【００２３】
それぞれの第２の衝撃吸収部４７０間の基部２００の径方向における距離は、基部２００の内側同心円部２３１と外側同心円部２３２との間の距離と略同じであり、最も内側の第２の衝撃吸収部４７０と基部２００の外側同心円部２３２との間の基部２００の径方向における距離は、内側同心円部２３１と外側同心円部２３２との間の距離と略同じである。
【００２４】
第１の面２２０の裏面である第２の面２４０には基板が取り付けられる。第１及び第２の長腕部４１０、４２０並びに第１及び第２の短腕部４３０、４４０の先端には基板を取り付けるための第２の係合部４８０が取り付けられる。第２の係合部４８０は、第１及び第２の長腕部４１０、４２０並びに第１及び第２の短腕部４３０、４４０における第２の面から基部２００の軸方向に突出する。
【００２５】
第２の係合部４８０は第２の取付腕４００の先端部の第２の面２４０から突出する嵌合部４８１と嵌合部４８１の先端に設けられる抜止部４８２とを備える。嵌合部４８１は円筒形状であって、抜止部４８２は嵌合部４８１と同軸状に接合される略円錐台形状である。嵌合部４８１及び抜止部４８２の軸と同軸の円筒形状を有する空隙管４８３が、抜止部４８２から第２の係合部４８０の第１の面２２０まで貫通する。抜止部４８２における最大径は、嵌合部４８１の径よりも大きい。抜止部４８２は最も径が大きい部位で嵌合部４８１と接合され、嵌合部４８１との間に段差部４８４を形成する。第２の係合部４８０以外の突起物は第２の面２４０に設けられない。
【００２６】
基部２００の円周の縁には、基部２００の軸を通り径方向に向けて延びる直線に沿って第１の取付腕３００が４つ取り付けられる。第１の取付腕３００は基部２００と略同じ厚さを有し、第１の取付腕３００の表面、裏面はそれぞれ基部２００における第１及び第２の面２２０、２４０と連続して第１及び第２の面２２０、２４０を拡張する。
【００２７】
４つの第１の取付腕３００は第１、第２、第３、第４の腕部３１０、３２０、３３０、３４０を備える。第１から第４の腕部３１０、３２０、３３０、３４０の幅及び長さは同じである。第１及び第３の腕部３１０、３３０は、基部２００の円周方向において第２の取付腕４００との間に、基部２００の中心軸に対し点対称の位置となるように設けられる。また、第２及び第４の腕部３２０、３４０も同様に設けられる。
【００２８】
点対称の位置にある一組の腕部は、他方の一組の腕部と、基部２００の中心軸を通り第１及び第２の長腕部４１０、４２０の延長方向に沿う直線に対し、互いに線対称となるように設けられる。基部２００の中心軸を通り第１及び第２の短腕部４３０、４４０の延長方向に沿う直線に対しても同様に互いに線対称となる。
【００２９】
第１から第４の腕部３１０、３２０、３３０、３４０には、略全長に渡り長円形状の第１の孔部３５０が２つ平行に設けられる。第１の孔部３５０は第１から第４の腕部３１０、３２０、３３０、３４０の厚さ方向に貫通する。第１の孔部３５０の幅は、第１から第４の腕部３１０、３２０、３３０、３４０の幅の略１／５である。第１の孔部３５０が設けられることにより、第１から第４の腕部３１０、３２０、３３０、３４０は長さ方向へ容易に伸張する。
【００３０】
第１から第４の腕部３１０、３２０、３３０、３４０は、第１の面２２０に第１の衝撃吸収部３６０を備える。第１の衝撃吸収部３６０は、第３の衝撃吸収部２３１、２３２と同心円状に５つ設けられ、それぞれ第１の面２２０から基部２００の軸方向に突出する。それぞれの第１の衝撃吸収部３６０は径方向に幅を、軸方向に厚さを有し、幅及び厚さは略同じ長さである。それぞれの第１の衝撃吸収部３６０間の距離は、基部２００の内側同心円部２３１と外側同心円部２３２との間の距離と略同じであり、最も内側の第１の衝撃吸収部３６０と基部２００の外側同心円部２３２との間の距離は、内側同心円部２３１と外側同心円部２３２との間の距離と略同じである。
【００３１】
第１から第４の腕部３１０、３２０、３３０、３４０の先端には液晶パネルを取り付けるための第１の係合部３７０が取り付けられる。第１の係合部３７０は、第１の面２２０から基部２００の軸方向に突出する。
【００３２】
第１の係合部３７０は、第１から第４の腕部３１０、３２０、３３０、３４０の延伸方向に対し直角方向に向けて延びる直方体である２枚の板状部材が接続されて形成されるエルボー部３７１と、エルボー部３７１の延伸方向端部を構成する第１及び第２の辺３７７、３７８に掛け渡される蓋部３７２とを備える。板状部材により形成される内角は直角をなし、基部側に設けられる。第１及び第２の辺３７７、３７８はＬ字型端部を形成する。
エルボー部３７１において、第１から第４の腕部３１０、３２０、３３０、３４０側の端部には、腕接続部３７３が設けられる。
【００３３】
蓋部３７２は三角柱形状であり、Ｌ字型端部の頂角と、頂角から第１及び第２の辺３７７、３７８における全長の略２／３まで行った点とを結んで形成される三角形を覆う。腕接続部３７３は、Ｌ字型端部の２つの先端を接続する四角柱形状である。厚さは第１から第４の腕部３１０、３２０、３３０、３４０と略同じである。
【００３４】
第１の係合部３７０は、腕接続部３７３の中央で第１から第４の腕部３１０、３２０、３３０、３４０の先端部と接続される。このとき、基部２００の中心軸方向から見ると、基部２００の中心軸を通り第１及び第３の腕部３１０、３３０又は第２及び第４の腕部３２０、３４０の延長方向に沿う直線は、エルボー部３７１の頂角を二等分する。すなわち、エルボー部３７１における内角の二等分線は基部２００の軸と交わる。腕接続部３７３が取り付けられるＬ字型端部、及び腕接続部３７３は、第１から第４の腕部３１０、３２０、３３０、３４０における第２の面２４０と連続して設けられ、第２の面２４０を拡張する。腕接続部３７３は、第１から第４の腕部３１０、３２０、３３０、３４０における第１の面２２０と連続して設けられ、第１の面２２０を拡張する。
【００３５】
腕接続部３７３の第１の面２２０には、腕接続部３７３の全長に渡り、第１の衝撃吸収部３６０と略同じ幅及び厚さを有する突起３７４を備える。突起３７４は第１の衝撃吸収部３６０に対して平行であり、第１の衝撃吸収部３６０と同じ方向に突出する。
【００３６】
次に、図１０から１１を用いて液晶パネル５００が取り付けられた取付部材１００について説明する。
【００３７】
液晶パネル５００は、取付部材１００において第１の面２２０側に取り付けられる。液晶パネル５００の対角線方向の距離は、基部２００の中心軸に交わる直線上にある第１の係合部３７０どうしの距離よりも長い。そのため、第１の係合部３７０は、第１から４の腕部３１０、３２０、３３０、３４０を伸張して、液晶パネル５００の角部５０４と係合する。液晶パネル５００の端面５０１は、エルボー部３７１の内角を形成する内側面３７６と係合する。液晶パネル５００において表示部を有する前面５０２は、蓋部３７２と係合し、液晶パネル５００の裏面５０３は腕接続部３７３に設けられた突起３７４と係合する。
【００３８】
基部２００及び第１から４の腕部３１０、３２０、３３０、３４０が伸張して第１の係合部３７０と液晶パネル５００とが取り付けられるため、基部２００及び第１から４の腕部３１０、３２０、３３０、３４０の弾性により、液晶パネル５００は柔軟に取付部材１００に保持される。また、基部２００が環状であるため第１から４の腕部３１０、３２０、３３０、３４０はいずれの径方向にも均等な力で伸張することが可能である。さらに、基部２００及び第１から４の腕部３１０、３２０、３３０、３４０が伸張するため、取付部材１００は様々な大きさの液晶パネル５００を取り付けることが可能になる。
【００３９】
第１、第２及び第３の衝撃吸収部３６０、４７０、２３１、２３２は、液晶パネル５００の裏面５０３と接触する。液晶パネル５００と取付部材１００との間に生じる力は、これらの衝撃吸収部で吸収される。また、第１から４の腕部３１０、３２０、３３０、３４０は弾性を有するため、液晶パネル５００と取付部材１００との間に生じる第１から第４の腕部３１０、３２０、３３０、３４０の伸張方向への力を吸収緩和する。
【００４０】
次に、図１２から１５を用いて基板６００が取り付けられた取付部材１００について説明する。
【００４１】
基板６００は、取付部材１００の第２の面２４０側に取り付けられる。基板６００には４つの基板孔６０１が開口する。第２の係合部４８０はこの基板孔６０１と嵌合する。基板孔６０１どうしの距離は、第１及び第２の長腕部４１０、４２０並びに第１及び第２の短腕部４３０、４４０どうしの距離よりも長い。そのため、第２の係合部４８０は、第１及び第２の長腕部４１０、４２０並びに第１及び第２の短腕部４３０、４４０を伸張して基板孔６０１と係合する。
【００４２】
第２の係合部４８０が基板孔６０１と係合するとき、抜止部４８２は基板孔６０１を通り抜け、嵌合部４８１は基板孔６０１と嵌合する。基板６００は、抜止部４８２と嵌合部４８１との間に形成される段差部４８４と係合して、第２の係合部４８０から容易に外れない。
【００４３】
嵌合部４８１及び抜止部４８２の中心軸周囲には空隙管４８３が設けられているため、抜止部４８２が基板孔６０１を通過するとき、抜止部４８２の径は一時的に小さくなる。これにより、抜止部４８２は基板孔６０１を容易に通り抜けることができる。
【００４４】
また、第１及び第２の長腕部４１０、４２０並びに第１及び第２の短腕部４３０、４４０は弾性を有するため、基板６００と取付部材１００との間に生じる第１及び第２の長腕部４１０、４２０並びに第１及び第２の短腕部４３０、４４０の伸張方向への力を吸収緩和することができる。さらに、基部２００が環状であるため第１及び第２の長腕部４１０、４２０並びに第１及び第２の短腕部４３０、４４０はいずれの径方向にも均等な力で伸張することが可能である。そして、基板６００と液晶パネル５００とを取り付けるための接続腕を別々に設けることにより、基板６００と液晶パネル５００との大きさが異なっても取り付けることができる。
【００４５】
本実施形態によれば、部材同士の接合部分に生じる力を吸収緩和し、かつ容易に部材同士を接合することが可能な取付部材１００を得ることができる。
【００４６】
なお、第１の取付腕３００は４つ設けられなくても良く、１つの直線に沿って互いに反対方向に延びる２つの第１の取付腕３００が設けられればよい。
【００４７】
また、第２の取付腕４００は４つ設けられなくても良く、１つの直線に沿って互いに反対方向に延びる２つの第２の取付腕４００が設けられればよい。
【００４８】
さらに、第１の係合部３７０の代わりに第２の係合部４８０を設けても良く、第２の係合部４８０の代わりに第１の係合部３７０を設けても良い。
【００４９】
第１及び第２の孔部３５０、４５０は１つの腕につき２つ設けられなくてもよく、１つ又は３以上であっても良い。
【００５０】
Ｌ字型端部において、第１及び第２の辺３７７、３７８より形成される内角は直角でなくても良く、液晶パネル５００の角部５０４と接触するような角度であればよい。
【００５１】
また、蓋部３７２は、第１及び第２の辺３７７、３７８の全長に渡り掛け渡され、又は断続的に掛け渡されるものでも良い。液晶パネル５００との係合が維持できるに必要な面積を有すれば足りる。
【図面の簡単な説明】
【００５２】
【図１】本実施形態による取付部材の正面図である。
【図２】取付部材の平面図である。
【図３】取付部材の左側面図である。
【図４】取付部材の背面図である。
【図５】図１のV−V線における断面図である。
【図６】図１のVI−VI線における断面図である。
【図７】図１のVII−VII線における断面図である。
【図８】取付部材を左正面から見た斜視図である。
【図９】取付部材を右背面から見た斜視図である。
【図１０】液晶パネルが取り付けられた取付部材を左正面から見た斜視図である。
【図１１】液晶パネルが取り付けられた取付部材を右背面から見た斜視図である。
【図１２】液晶パネル及び基板が取り付けられた取付部材の正面図である。
【図１３】図１２のXIII−XIII線における断面図である。
【図１４】基板が取り付けられた取付部材を左正面から見た斜視図である。
【図１５】基板が取り付けられた取付部材を右背面から見た斜視図である。
【符号の説明】
【００５３】
１００  取付部材
２００  基部
３００  第１の取付腕
４００  第２の取付腕
５００  液晶パネル
６００  基板
【図１】
0004945724.tif 000002
【図２】
0004945724.tif 000003
【図３】
0004945724.tif 000004
【図４】
0004945724.tif 000005
【図５】
0004945724.tif 000006
【図６】
0004945724.tif 000007
【図７】
0004945724.tif 000008
【図８】
0004945724.tif 000009
【図９】
0004945724.tif 000010
【図１０】
0004945724.tif 000011
【図１１】
0004945724.tif 000012
【図１２】
0004945724.tif 000013
【図１３】
0004945724.tif 000014
【図１４】
0004945724.tif 000015
【図１５】
0004945724.tif 000016